(57)【要約】【課題】本発明の目的は、拡張カード固定装置及び電子設備を提供する。【解決手段】本発明の電子設備の拡張カード固定装置は、ブラケット及び複数の取付部材を備え、且つ電気回路基板の複数の拡張スロットに差し込まれる複数の拡張カードを固定するために用いられ、ブラケットは、拡張スロットの対向する両側に位置する２つの支持ラックを備え、支持ラックは、電気回路基板に固定される固定シートと、固定シートの内側からそれぞれ上に向かって垂直に曲がって形成され且つ互いに離間する複数の支持シートと、複数の支持シートの頂端を接続する接続板と、を備え、取付部材は、対応する支持シートの内側に固定される固定板と、固定板の頂端から延在して形成される係合部と、を備え、拡張スロットの対向する両側に位置する２つの取付部材の２つの固定板は、拡張カードの２つの側縁を挟持し、２つの前記取付部材の２つの係合部は、拡張カードの頂部を押圧する。【選択図】図１
2013051409.tif 000002
【特許請求の範囲】
【請求項１】
ブラケット及び複数の取付部材を備え、且つ電気回路基板の複数の拡張スロットにそれぞれ差し込まれる複数の拡張カードを固定するために用いられる拡張カード固定装置であって、
前記ブラケットは、前記電気回路基板の前記拡張スロットの対向する両側に位置する２つの支持ラックを備え、各々の前記支持ラックは、前記電気回路基板に固定される固定シートと、前記固定シートの内側からそれぞれ上に向かって垂直に曲がって形成され且つ互いに離間する複数の支持シートと、複数の前記支持シートの頂端を接続する接続板と、を備え、
各々の前記取付部材は、対応する前記支持シートの内側に固定される固定板と、前記固定板の頂端から延在して形成される係合部と、を備え、
前記拡張スロットの対向する両側に位置する２つの取付部材の２つの固定板は、前記拡張スロットに差し込まれる前記拡張カードの２つの側縁を挟持し、前記拡張スロットの対向する両側に位置する２つの前記取付部材の２つの係合部は、前記拡張スロットに差し込まれる前記拡張カードの頂部を押圧することを特徴とする拡張カード固定装置。
【請求項２】
前記支持シートの延在方向に沿って複数の固定孔が配列され、前記固定板の外側には、前記固定板の延在方向に沿って複数の弾性ペグが突出して形成され、前記固定板の複数の前記弾性ペグが対応する前記支持シートの複数の前記固定孔にそれぞれ係合することを特徴とする請求項１に記載の拡張カード固定装置。
【請求項３】
前記固定板の内側には、前記固定板の延在方向に沿って互いに平行な２つの細長い突部が突出して形成されて、前記拡張カードの側縁を挟持することを特徴とする請求項１または２に記載の拡張カード固定装置。
【請求項４】
前記係合部の内側には、係合ブロックが突出して形成されて、前記拡張カードの頂部を押圧することを特徴とする請求項２または３に記載の拡張カード固定装置。
【請求項５】
複数の拡張スロットが設けられた電気回路基板と、
前記電気回路基板の複数の拡張スロットにそれぞれ差し込まれる複数の拡張カードと、
複数の前記拡張カードを固定するために用いられる請求項１〜４のいずれか一項に記載の拡張カード固定装置と、
を備えることを特徴とする電子設備。
【発明の詳細な説明】
【技術分野】
【０００１】
本発明は、拡張カード固定装置及び電子設備に関するものである。
【背景技術】
【０００２】
コンピューターのような電子設備は、そのマザーボードの拡張スロットに差し込まれた拡張カードを外部設備に接続することにより、外部設備とデータを送受信することができる。
【発明の概要】
【発明が解決しようとする課題】
【０００３】
しかし、電子設備を移動させているときに、電子設備に不意に衝撃が加わり、拡張カードが拡張スロットから脱落することがあり、ひいては拡張カード及びマザーボードの拡張スロットが損傷する可能性がある。
【０００４】
本発明の目的は、前記課題を解決し、拡張カードを電子設備内に安定して固定することができる拡張カード固定装置及び電子設備を提供することである。
【課題を解決するための手段】
【０００５】
本発明に係る拡張カード固定装置は、ブラケット及び複数の取付部材を備え、且つ電気回路基板の複数の拡張スロットにそれぞれ差し込まれる複数の拡張カードを固定するために用いられ、
前記ブラケットは、前記電気回路基板の拡張スロットの対向する両側に位置する２つの支持ラックを備え、各々の前記支持ラックは、前記電気回路基板に固定される固定シートと、前記固定シートの内側からそれぞれ上に向かって垂直に曲がって形成され且つ互いに離間する複数の支持シートと、複数の前記支持シートの頂端を接続する接続板と、を備え、
各々の前記取付部材は、対応する前記支持シートの内側に固定される固定板と、前記固定板の頂端から延在して形成される係合部と、を備え、
前記拡張スロットの対向する両側に位置する２つの取付部材の２つの固定板は、前記拡張スロットに差し込まれる前記拡張カードの２つの側縁を挟持し、前記拡張スロットの対向する両側に位置する２つの取付部材の２つの係合部は、前記拡張スロットに差し込まれる前記拡張カードの頂部を押圧する。
【０００６】
本発明に係る電子設備は、複数の拡張スロットが設けられた電気回路基板と、前記電気回路基板の複数の拡張スロットにそれぞれ差し込まれる複数の拡張カードと、複数の前記拡張カードを固定するために用いられる前記拡張カード固定装置と、を備える。
【発明の効果】
【０００７】
本発明の電子設備の拡張カード固定装置は、電気回路基板の複数の拡張スロットを囲むブラケットに固定される取付部材によって、電気回路基板の複数の拡張スロットにそれぞれ差し込まれる複数の拡張カードを固定して、複数の前記拡張カードを電子設備内に安定して固定させる。
【図面の簡単な説明】
【０００８】
【図１】本発明の実施形態に係る電子設備の分解斜視図である。
【図２】図１に示す電子設備の組立斜視図である。
【図３】図２に示す電子設備のＣ−Ｃ線に沿う断面図である。
【発明を実施するための形態】
【０００９】
以下、図面を参照して、本発明の実施形態について説明する。
【００１０】
図１を参照すると、本発明の実施形態に係る電子設備は、複数の拡張スロット２０１が設けられた電気回路基板２００と、複数の前記拡張スロット２０１にそれぞれに差し込まれる複数の拡張カード１００と、複数の前記拡張カード１００を前記電気回路基板２００に固定するために用いられる拡張カード固定装置と、を備える。前記拡張カード固定装置は、複数の前記拡張スロット２０１を囲むブラケット１０と、複数の取付部材２０と、を備える。前記電気回路基板２００に設けられる複数の拡張スロット２０１は、互いに平行である。
【００１１】
前記ブラケット１０は、対向する２つの支持ラック１２と、２つの前記支持ラック１２を接続する側板１４と、を備える。各々の前記支持ラック１２は、前記電気回路基板２００に固定される固定シート１２２と、前記固定シート１２２の内側からそれぞれ上に向かって垂直に曲がって形成され且つ互いに離間する複数の細長い支持シート１２４と、複数の前記支持シート１２４の頂端を接続する接続板１２６と、を備える。２つの前記支持ラック１２の２つの固定シート１２２は、拡張カード１００の整列方向に沿って延在しており、リベット又はねじによって前記電気回路基板２００の拡張スロット２０１の長手方向の両側で固定される。２つの前記支持ラック１２の対向する一対の支持シート１２４は、対応する前記拡張スロット２０１の両端に位置する。各々の前記支持シート１２４の長手方向に沿って、複数の固定孔１２４２が間隔をあけて設けられる。
【００１２】
前記取付部材２０は、細長い固定板２２と、前記固定板２２の頂端から上方に向けて延在して形成され、幅が前記固定板２２よりも狭い係合部２４と、を備える。前記固定板２２の外側には、前記固定板２２の長手方向に沿って間隔をあけて複数の弾性ペグ２２１が突出して形成される。前記固定板２２の内側には、前記固定板２２の長手方向に沿って間隔をあけて互いに平行な２つの細長い突部２２２が突出して形成される。前記係合部２４の内側には、係合ブロック２４２が突出して形成され、前記係合部２４の外側には、補強リブ２４４が外側に向けて突設される。
【００１３】
前記拡張カード１００の頂端には、ハンドル３０が固定される。前記ハンドル３０は、前記拡張カード１００の頂端を挟持して固定される挟持部３１と、弧形の操作部３２と、を備える。
【００１４】
図２及び図３を参照すると、組み立てる場合、複数の前記取付部材２０を前記ブラケット１０の複数の支持シート１２４の内側にそれぞれ装着することによって、前記取付部材２０の固定板２２の弾性ペグ２２１は、前記支持シート１２４の固定孔１２４２に係合し、前記取付部材２０の係合部２４は、前記ブラケット１０の接続板１２６の上方へ突出する。複数の前記拡張カード１００を前記電気回路基板２００の複数の拡張スロット２０１にそれぞれ差し込むと、前記拡張カード１００の２つの側縁それぞれは、前記取付部材２０の固定板２２の２つの突部２２２の間に挟持され、前記取付部材２０の係合部２４の係合ブロック２４２は、前記拡張カード１００の頂部と係合し、前記拡張カード１００の頂部を電気回路基板２００に向けて押圧して、前記拡張カード１００を固定する。
【００１５】
前記拡張カード１００を取り外す場合、前記拡張カード１００の両側の２つの前記取付部材２０の係合部２４を外側に向かって引っ張って係合ブロック２４２と拡張カード１００の頂部との係合を解除してから、前記拡張カード１００の頂端の前記ハンドル３０の操作部３２を把持して前記拡張カード１００を引き出す。
【００１６】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、以下の特許請求の範囲から決まる。
【符号の説明】
【００１７】
１０  ブラケット
１２  支持ラック
１４  側板
２０  取付部材
２２  固定板
２４  係合部
３０  ハンドル
３１  挟持部
３２  操作部
１００  拡張カード
１２２  固定シート
１２４  支持シート
１２６  接続板
２００  電気回路基板
２０１  拡張スロット
２２１  弾性ペグ
２２２  突部
２４２  係合ブロック
２４４  補強リブ
１２４２  固定孔
【図１】
2013051409.tif 000003
【図２】
2013051409.tif 000004
【図３】
2013051409.tif 000005